(57)【要約】【課題】良好な表面外観性を有するとともに、耐滑り性及び耐食性に優れた溶融Al-Zn-Mg-Si系めっき鋼板を提供する。【解決手段】上記目的を達成するべく、本発明は、めっき層が、Al：45〜65質量％、Si：1.2〜4質量％、Mg：1〜6質量％及びSr：0.01〜0.2質量％を含有し、残部がZn及び不可避的不純物からなる組成を有し、前記めっき層の表面における動摩擦係数が、0.2以上であることを特徴とする。【選択図】図１
2020164986.tif 000002
【特許請求の範囲】
【請求項１】
めっき層が、Al：45〜65質量％、Si：1.2〜4質量％、Mg：1〜6質量％及びSr：0.01〜0.2質量％を含有し、残部がZn及び不可避的不純物からなる組成を有し、
前記めっき層の表面における動摩擦係数が、0.2以上であることを特徴とする、溶融Al-Zn-Mg-Si系めっき鋼板。
【請求項２】
前記めっき層が、合計で0.01〜10質量％の、Cr、Mn、V、Mo、Ti、Ca、Ni、Co、Sb及びBのうちから選択される一種又は二種以上を、さらに含有することを特徴とする、請求項１に記載の溶融Al-Zn-Mg-Si系めっき鋼板。
【請求項３】
前記めっき層の厚さ方向の断面において観察した際の、前記めっき層の表面に露出したデンドライトの平均高さと、前記めっき層の表面に露出したインターデンドライトの平均高さとの差が、2μm以上であることを特徴とする、請求項１又は２に記載の溶融Al-Zn-Mg-Si系めっき鋼板。
【請求項４】
請求項１〜３のいずれか１項に記載の溶融Al-Zn-Mg-Si系めっき鋼板のめっき層上に、直接又は中間層を介して、塗膜が形成されたことを特徴とする、塗装鋼板。
【請求項５】
Al：45〜65質量％、Si：1.2〜4質量％、Mg：1〜6質量％及びSr：0.01〜0.2質量％を含有し、残部がZn及び不可避的不純物からなる組成を有するめっき浴に、下地鋼板を浸漬させる工程と、
前記めっき浴に浸漬させた後の鋼板を、式（１）に示す温度Ｔ１から式（２）に示す温度Ｔ２まで、10〜50℃／秒の冷却速度で冷却した後、前記温度Ｔ２から式（３）に示す温度Ｔ３まで、10〜70℃／秒の冷却速度で冷却する工程と、
を備えることを特徴とする、溶融Al-Zn-Mg-Si系めっき鋼板の製造方法。
Ｔ１（℃）＝580−4.5MMg−5.5MSi  ・・・（１）
Ｔ２（℃）＝520−4.5MMg−5.5MSi  ・・・（２）
Ｔ３（℃）＝375−4.5MMg−5.5MSi  ・・・（３）
MMg：めっき浴中のMgの含有量（質量％）、MSi：めっき浴中のSiの含有量（質量％）
【請求項６】
前記めっき浴が、合計で0.01〜10質量％の、Cr、Mn、V、Mo、Ti、Ca、Ni、Co、Sb及びBのうちから選択される一種又は二種以上を、さらに含有することを特徴とする、請求項５に記載の溶融Al-Zn-Mg-Si系めっき鋼板の製造方法。
【請求項７】
請求項５又は６に記載の製造方法によって得られた溶融Al-Zn-Mg-Si系めっき鋼板の上に、直接又は中間層を介して、塗膜を形成する工程を備えることを特徴とする、塗装鋼板の製造方法。
【発明の詳細な説明】
【技術分野】
【０００１】
本発明は、良好な表面外観性を有するとともに、耐滑り性及び耐食性に優れた溶融Al-Zn-Mg-Si系めっき鋼板及びその製造方法、並びに、塗装鋼板及びその製造方法に関するものである。
【背景技術】
【０００２】
溶融Al-Zn系めっき鋼板は、Znの犠牲防食性とAlの高い耐食性とが両立できているため、溶融亜鉛めっき鋼板の中でも高い耐食性を示す。例えば、特許文献１には、めっき層中にAlを25〜75質量％含有する溶融Al-Zn系めっき鋼板が開示されている。そして、溶融Al-Znめっき鋼板は、その優れた耐食性から、長期間屋外に曝される屋根や壁等の建材分野、ガードレール、配線配管、防音壁等の土木建築分野を中心に近年需要が伸びている。
【０００３】
溶融Al-Zn系めっき鋼板のめっき層は、主層及び下地鋼板と主層との界面に存在する合金層からなり、主層は、主としてZnを過飽和に含有しAlがデンドライト凝固した部分（α-Al相のデンドライト部分）と、残りのデンドライト間隙の部分（インターデンドライト）とから構成され、α-Al相がめっき層の膜厚方向に複数積層した構造を有する。このような特徴的な皮膜構造により、表面からの腐食進行経路が複雑になるため、腐食が容易に下地鋼板に到達しにくくなり、溶融Al-Zn系めっき鋼板はめっき層厚が同一の溶融亜鉛めっき鋼板に比べ優れた耐食性を実現できる。
【０００４】
また、溶融Al-Zn系めっきのめっき層中にMgを含有させることで、耐食性のさらなる向上を目的とした技術が知られている。Mgを含有する溶融Al-Zn系めっき鋼板（溶融Al-Zn-Mg-Si系めっき鋼板）に関する技術として、例えば特許文献２には、めっき層にMgを含むAl-Zn-Si合金を含み、該Al-Zn-Si合金が、45〜60重量％の元素アルミニウム、37〜46重量％の元素亜鉛及び1.2〜2.3重量％の元素ケイ素を含有する合金であり、該Mgの濃度が1〜5重量％である、Al-Zn-Mg-Si系めっき鋼板が開示されている。
【０００５】
また、めっき層中にMgを含有させる技術として、特許文献３には、めっき層に一定量のMg及びCaを含有させることで、耐食性及び下地鋼板が露出した後の保護作用を高めることを目的とした溶融Al-Zn系めっき鋼板が開示されている。
さらに、特許文献４には、質量％で、Mg：1〜15％、Si：2〜15％、Zn：11〜25％を含有し、残部がAl及び不可避的不純物からなる被覆層を形成し、めっき層中に存在するMg2Si相の大きさを規定することで、平板及び端面の耐食性の改善を図ったAl系めっき鋼板が開示されている。
【０００６】
ただし、特許文献１や２に開示された溶融Al-Zn系めっき鋼板については、優れた耐食性を有するものの、めっき層の表面に生成される酸化物層に起因したシワ状の欠陥（以下、「シワ状欠陥」という。）が発生しやすくなり、めっき層表面の外観を損ねるという問題があった。
そのため、例えば特許文献５には、溶融Al-Zn-Mg系めっき鋼板について、めっき層中にSrを含有させることによって、表面外観性の向上を図る技術が開示されている。
【０００７】
しかしながら、上述した耐食性や表面外観の改善とは別に、溶融Al-Zn系めっき鋼板については、滑りやすい（耐滑り性が低い）という問題があった。この溶融Al-Zn系めっき鋼板の耐滑り性が低い場合、溶融めっき後の鋼板（鋼帯）を巻き取った際に巻きズレを発生させるおそれや、鋼板を積み重ねた際に荷崩れを引き起こすおそれがあることから、上述したMg添加による耐食性の向上やSr添加による表面外観の向上に加え、耐滑り性についても改善が望まれていた。
【先行技術文献】
【特許文献】
【０００８】
【特許文献１】特公昭４６−７１６１号公報
【特許文献２】特許５０２０２２８号公報
【特許文献３】特許５００００３９号公報
【特許文献４】特開２００２−１２９５９号公報
【特許文献５】特許３９８３９３２号公報
【発明の概要】
【発明が解決しようとする課題】
【０００９】
本発明は、かかる事情に鑑み、良好な表面外観性を有するとともに、耐滑り性及び耐食性に優れた溶融Al-Zn-Mg-Si系めっき鋼板及び塗装鋼板、並びに、良好な表面外観性を有するとともに、耐滑り性及び耐食性に優れた溶融Al-Zn-Mg-Si系めっき鋼板及び塗装鋼板の製造方法、を提供することを目的とする。
【課題を解決するための手段】
【００１０】
本発明者らは、上記の課題を解決すべく検討を行った結果、めっき層表面の耐滑り性が低下する原因について、めっき層の表面における凹凸が小さくなっており、動摩擦係数が小さくなっていることが原因であることに着目した。そして、さらに鋭意研究を重ねた結果、めっき層の組成を特定範囲とすることで、表面外観性及び耐食性の向上を図るとともに、前記めっき層の表面状態を制御して、めっき層表面の動摩擦係数を0.2以上と大きくすることによって、耐滑り性について改善できること、を見出した。
【００１１】
本発明は、以上の知見に基づきなされたものであり、その要旨は以下の通りである。
１．めっき層が、Al：45〜65質量％、Si：1.2〜4質量％、Mg：1〜6質量％及びSr：0.01〜0.2質量％を含有し、残部がZn及び不可避的不純物からなる組成を有し、前記めっき層の表面における動摩擦係数が、0.2以上であることを特徴とする、溶融Al-Zn-Mg-Si系めっき鋼板。
【００１２】
２．前記めっき層が、合計で0.01〜10質量％の、Cr、Mn、V、Mo、Ti、Ca、Ni、Co、Sb及びBのうちから選択される一種又は二種以上を、さらに含有することを特徴とする、前記１に記載の溶融Al-Zn-Mg-Si系めっき鋼板。
【００１３】
３．前記めっき層の厚さ方向の断面において観察した際の、前記めっき層の表面に露出したデンドライトの平均高さと、前記めっき層の表面に露出したインターデンドライトの平均高さとの差が、2μm以上であることを特徴とする、前記１又は２に記載の溶融Al-Zn-Mg-Si系めっき鋼板。
【００１４】
４．前記１〜３のいずれか１項に記載の溶融Al-Zn-Mg-Si系めっき鋼板のめっき層上に、直接又は中間層を介して、塗膜が形成されたことを特徴とする、塗装鋼板。
【００１５】
５．Al：45〜65質量％、Si：1.2〜4質量％、Mg：1〜6質量％及びSr：0.01〜0.2質量％を含有し、残部がZn及び不可避的不純物からなる組成を有するめっき浴に、下地鋼板を浸漬させる工程と、
前記めっき浴に浸漬させた後の鋼板を、式（１）に示す温度Ｔ１から式（２）に示す温度Ｔ２まで、10〜50℃／秒の冷却速度で冷却した後、前記温度Ｔ２から式（３）に示す温度Ｔ３まで、10〜70℃／秒の冷却速度で冷却する工程と、
を備えることを特徴とする、溶融Al-Zn-Mg-Si系めっき鋼板の製造方法。
Ｔ１（℃）＝580−4.5MMg−5.5MSi  ・・・（１）
Ｔ２（℃）＝520−4.5MMg−5.5MSi  ・・・（２）
Ｔ３（℃）＝375−4.5MMg−5.5MSi  ・・・（３）
MMg：めっき浴中のMgの含有量（質量％）、MSi：めっき浴中のSiの含有量（質量％）
【００１６】
６．前記めっき浴が、合計で0.01〜10質量％の、Cr、Mn、V、Mo、Ti、Ca、Ni、Co、Sb及びBのうちから選択される一種又は二種以上を、さらに含有することを特徴とする、前記５に記載の溶融Al-Zn-Mg-Si系めっき鋼板の製造方法。
【００１７】
７．前記５又は６に記載の製造方法によって得られた溶融Al-Zn-Mg-Si系めっき鋼板の上に、直接又は中間層を介して、塗膜を形成する工程を備えることを特徴とする、塗装鋼板の製造方法。
【発明の効果】
【００１８】
本発明によれば、良好な表面外観性を有するとともに、耐滑り性及び耐食性に優れた溶融Al-Zn-Mg-Si系めっき鋼板及び塗装鋼板、並びに、良好な表面外観性を有するとともに、耐滑り性及び耐食性に優れた溶融Al-Zn-Mg-Si系めっき鋼板及び塗装鋼板の製造方法、を提供できる。
【図面の簡単な説明】
【００１９】
【図１】（ａ）は、本発明の溶融Al-Zn-Mg-Si系めっき鋼板について、めっき層の厚さ方向の断面の一部を、SEM-EDXによって観察した際の写真であり、（ｂ）は、従来の溶融Al-Zn-Mg-Si系めっき鋼板について、めっき層の厚さ方向の断面を、SEM-EDXによって観察した際の写真である。
【図２】本発明の溶融Al-Zn-Mg-Si系めっき鋼板について、めっき層の厚さ方向の断面の状態を模式的に示した図である。
【図３】デンドライトアーム間距離の測定方法を説明するための図である。
【図４】日本自動車規格の複合サイクル試験（JASO-CCT）の流れを説明するための図である。
【発明を実施するための形態】
【００２０】
（溶融Al-Zn-Mg-Si系めっき鋼板）
本発明の溶融Al-Zn-Mg-Si系めっき鋼板は、鋼板表面にめっき層を有する。なお、該めっき層は、下地鋼板との界面に存在する界面合金層と該合金層の上に存在する主層（以後、「めっき主層」又は「主層」ということもある。）とからなる。また、前記めっき層は、Al：45〜65質量％、Si：1.2〜4質量％、Mg：1〜6質量％及びSr：0.01〜0.2質量％を含有し、残部がZn及び不可避的不純物からなる組成を有する。前記溶融めっき鋼板のめっき層が、上述した組成を有することによって、良好な表面外観性及び耐食性を確保できる。
【００２１】
前記めっき層中のAl含有量は、耐食性と操業面のバランスから、45〜65質量％とし、好ましくは50〜60質量％である。前記めっき層の主層のAl含有量が少なくとも45質量％あれば、Alのデンドライト凝固が十分に起こる。これにより、前記主層は主としてZnを過飽和に含有し、Alがデンドライト凝固した部分（α-Al相のデンドライト部分）と残りのデンドライト間隙の部分（インターデンドライト部分）からなり且つ該デンドライト部分がめっき層の膜厚方向に積層した耐食性に優れる構造を実現できる。またこのα-Al相のデンドライト部分が、多く積層するほど、腐食進行経路が複雑になり、腐食が容易に下地鋼板に到達しにくくなるので、耐食性が向上する。一方、前記めっき層中のAl含有量が65質量％を超えると、Feに対して犠牲防食作用をもつZnの含有量が少なくなり、耐食性が劣化する。このため、前記めっき層中のAl含有量は65質量％以下とする。また、前記めっき層中のAl含有量が60質量％以下であれば、めっきの付着量が少なくなり、下地鋼板が露出しやすくなった場合にもFeに対して犠牲防食作用を有し、十分な耐食性が得られる。そのため、めっき主層のAl含有量は60質量％以下とすることが好ましい。
【００２２】
前記めっき層中のSiは、下地鋼板との界面に生成する界面合金層の成長を抑制する目的で、耐食性や加工性の向上を目的にめっき浴中に添加され、必然的に前記主層に含有される。本発明の溶融めっき鋼板の場合、めっき浴中にSiを含有させて溶融めっき処理を行うと、下地鋼板がめっき浴中に浸漬されると同時に、鋼板表面のFeと浴中のAlやSiが合金化反応し、Fe-Al系及び／又はFe-Al-Si系の化合物からなる合金を生成する。このFe-Al-Si系界面合金層の生成によって、界面合金層の成長を抑制することができる。そして、前記めっき層中のSi含有量が1.2質量％以上の場合には、前記界面合金層の成長を十分に抑制できる。一方、めっき層のSi含有量が、4質量％を超えた場合、めっき層において、加工性を低下させ、カソードサイトとなるSi相が析出し易くなる。このSi相の析出は、Mg含有量を増やすことで抑制できるが、その場合、製造コストの上昇や、Mg2Siの量が多くなることに起因した加工性の低下を招き、まためっき浴の組成管理をより困難にしてしまう。このため、めっき層中のSi含有量は4質量％以下とする。さらにまた、界面合金層の成長及びSi相の析出をより確実に抑制できる点や、Mg2SiとしてSiが消費された場合に対応できるという点を考慮すると、前記めっき層中のSi含有量を2〜4質量％とすることが好ましく、2.3〜3.5質量％とすることがより好ましい。
【００２３】
前記めっき層は、Mgを1〜6質量％含有する。前記めっき層の主層が腐食した際、腐食生成物中にMgが含まれることとなり、腐食生成物の安定性が向上し、腐食の進行が遅延する結果、耐食性が向上するという効果が得られる。より具体的には、前記めっき層の主層中に存在するMgは上述したSiと結合し、Mg2Siを生成する。このMg2Siは、めっき鋼板が腐食した際、初期に溶解するためMgが腐食生成物に含まれる。この腐食生成物中に含まれるMgは、腐食生成物を緻密化させる効果があり、腐食生成物の安定性及び外来腐食因子に対するバリア性を向上できる。
ここで、前記めっき層のMg含有量を1質量％以上としたのは、前記めっき層が、上述した濃度範囲でSiを含有した場合、Mg濃度を1質量％以上とすることで、Mg2Siを生成できるようになり、腐食遅延効果を得ることができるからである。同様の観点から、前記めっき層のMg含有量は、2.5質量％以上であることが好ましく、3質量％以上であることがより好ましい。一方、前記めっき層のMgの含有量を6質量％以下としたのは、前記めっき層のMgの含有量が6％を超える場合、耐食性の向上効果の飽和に加え、製造コストの上昇とめっき浴の組成管理が難しくなるためである。同様の観点から、前記めっき層のMg含有量は、5質量％以下であることが好ましい。
【００２４】
また、前記めっき層中のMg含有量を3質量％以上とすることで、塗装後耐食性の改善も可能となる。Mgを含まない従来の溶融Al-Zn系めっき鋼板のめっき層が大気に触れると、α-Al相の周囲に緻密且つ安定なAl2O3の酸化膜が直ぐに形成され、この酸化膜による保護作用によってα-Al相の溶解性はインターデンドライト中のZnリッチ相の溶解性に比べ非常に低くなる。この結果、従来のAl-Zn系めっき鋼板を下地に用いた塗装鋼板は、塗膜に損傷が生じた場合、傷部を起点に塗膜／めっき界面でＺｎリッチ相の選択腐食を起こし、塗装健全部の奥深くに向けて進行して大きな塗膜膨れを起こすことから、塗装後耐食性が劣る。そのため、優れた塗装後耐食性を得る観点からは、前記めっき層中のMg含有量を3質量％以上とすることが好ましい。
一方、前記めっき層中にMgを含有した溶融Al-Zn系めっき鋼板を用いた塗装鋼板の場合、インターデンドライト中に析出するMg2Si相やMg-Zn化合物（MgZn2、Mg32(Al,Zn)49等）が腐食の初期段階で溶け出し、腐食生成物中にMgが取込まれる。Mgを含有した腐食生成物は非常に安定であり、これにより腐食が初期段階で抑制されるため、従来のAl−Zn系めっき鋼板を下地に用いた塗装鋼板の場合に問題となるZnリッチ相の選択腐食による大きな塗膜膨れを抑制できる。その結果、めっき層にMgを含有させた溶融Al−Zn系めっき鋼板は優れた塗装後耐食性を示す。前記めっき層中のMgが3質量％未満の場合には、腐食時に溶け出すMgの量が少なく、塗装後耐食性が向上しないおそれがある。なお、前記めっき層中のMg含有量が6質量％を超える場合には、効果が飽和するだけでなく、Mg化合物の腐食が激しく起こり、めっき層全体の溶解性が過度に上昇する結果、腐食生成物を安定化させても、その溶解速度が大きくなるため、大きな膨れ幅を生じ、塗装後耐食性が劣化するおそれがある。そのため、優れた塗装後耐食性を安定的に得るためには、前記めっき層中のMg含有量を6質量％以下とする。
【００２５】
また、前記めっき層は、0.01〜0.2質量％のSrを含有する。前記めっき層がSrを含有することで、シワ状欠陥の発生を抑制し、前記溶融めっき鋼板の表面外観性を向上させることができる。
前記シワ状欠陥とは、前記めっき層の表面に形成されたシワ状の凹凸になった欠陥であり、前記めっき層表面において白っぽい筋として観察される。このようなシワ状欠陥は、前記めっき層中にMgを多く添加した場合に、発生しやすくなる。そのため、前記溶融めっき鋼板では、前記めっき層中にSrを含有させることによって、前記めっき層表層においてSrをMgよりも優先的に酸化させ、Mgの酸化反応を抑制することで、前記シワ状欠陥の発生を抑えることが可能となる。
【００２６】
前記めっき層中のSr含有量については、0.01質量％以上であることを要する。上述したスジ状欠陥の発生を抑制する効果を得るためである。同様の観点から、前記めっき層中のSr含有量は、0.05質量％以上であることが好ましい。一方、前記めっき層中のSr含有量については、0.2質量％以下であることを要する。Srの含有量が多くなりすぎると、シワ状欠陥発生の抑制効果が飽和するため、コスト的に不利になるためである。同様の観点から、前記めっき層中のSr含有量は、0.15質量％以下であることが好ましい。
【００２７】
また、前記めっき層は、上述したMgと同様に腐食生成物の安定性を向上させ、腐食の進行を遅延させる効果を奏することができる点から、合計で0.01〜10質量％の、Cr、Mn、V、Mo、Ti、Ca、Ni、Co、Sb及びBのうちから選択される一種又は二種以上を、さらに含有することが好ましい。上述した成分の合計含有量を0.01〜10質量％としたのは、十分な腐食遅延効果を得ることができるとともに、効果が飽和することもないためである。
【００２８】
なお、前記めっき層は、めっき処理中にめっき浴と下地鋼板の反応でめっき中に取り込まれる下地鋼板成分や、めっき浴中の不可避的不純物が含まれる。前記めっき中に取り込まれる下地鋼板成分としては、Feが数％程度含まれることがある。めっき浴中の不可避的不純物の種類としては、例えば、Fe、Cu、Zr等が挙げられる。前記めっき層中のFeについては下地鋼板から取り込まれるものと、めっき浴中にあるものとを区別して定量することはできない。不可避的不純物の総含有量は特に限定はしないが、めっきの耐食性と均一な溶解性を維持するという観点から、Feを除いた不可避的不純物量は合計で1質量％以下であることが好ましい。
【００２９】
なお、前記めっき層中の界面合金層については、上述したように下地鋼板との界面に存在する合金層であり、上述したように、鋼板表面のFeと浴中のAlやSiが合金化反応して必然的に生成するFe-Al系及び／又はFe-Al-Si系の化合物である。この界面合金層は、硬くて脆いため、厚く成長すると加工時のクラック発生の起点となることから、本発明では、できるだけ薄くすることが好ましい。
【００３０】
そして、本発明の溶融Al-Zn-Mg-Si系めっき鋼板では、前記めっき層の表面における動摩擦係数が、0.2以上であることを特徴とする。
前記めっき層の表面に前記デンドライトを多く突出させれば、前記めっき層の表面に凹凸が形成されることになる。この結果、前記めっき層の表面における動摩擦係数を0.2以上と大きくすることができ、めっき層表面の耐滑り性の向上が可能となる。
同様の観点から、前記めっき層の表面における動摩擦係数は、0.25以上であることが好ましく、0.30以上であることがより好ましい。なお、動摩擦係数の測定については、どのような方法を用いてもよいが、例えば、試験片の表面と裏面を向かい合わせて0.08kg／cm2の荷重をかけ、試験片の一方を400mm／分の速度で動かす方法によって測定することができる。
【００３１】
一方、一般的なAl-Zn-Mg-Si系めっき層を用いた塗装鋼板では、めっき層の表面における凹凸が小さい（動摩擦係数が0.2未満）ことから、所望の耐滑り性を得ることができず、鋼板の巻きズレや、鋼板を重ねた際の荷崩れを起こす原因となる。
【００３２】
ここで、図１（ａ）及び（ｂ）は、本発明の溶融Al-Zn-Mg-Si系めっき鋼板及び従来技術の溶融Al-Zn-Mg-Si系めっき鋼板の一例（Al：55質量％、Si：2.5質量％、Mg：4.5質量％、Sr：0.10質量％、残部がZn及び不可避的不純物）について、それぞれのめっき層の断面状態を、走査電子顕微鏡のエネルギー分散型Ｘ線分光法（SEM-EDX）によって観察した写真である。
図１（ａ）からわかるように、本発明の範囲に属する溶融Al-Zn-Mg-Si系めっき鋼板では、前記デンドライトと前記インターデンドライトとは、露出している表面位置が異なり、めっき層の表面に凹凸が形成されていることがわかる。これによって、0.2以上の動摩擦係数が得られ、優れた耐滑り性を実現できる。一方、図１（ｂ）に示した従来技術の溶融Al-Zn-Mg-Si系めっき鋼板では、前記デンドライトと前記インターデンドライトとの表面位置の差が小さく、凹凸もほとんど形成されていないことから、所望の耐滑り性を得ることができないことがわかる。
【００３３】
また、前記めっき層については、前記めっき層の厚さ方向の断面において観察した際の、前記めっき層の表面に露出した前記デンドライトの平均高さと、前記めっき層の表面に露出した前記インターデンドライトの平均高さとの差が、2μm以上であることが好ましく、3μm以上であることがより好ましい。より確実に、前記めっき層の表面の動摩擦係数を0.2以上に設定でき、より優れた耐滑り性が得られるためである。
【００３４】
ここで、図２は、本発明の溶融Al-Zn-Mg-Si系めっき鋼板の断面の一部を模式的に示した図である。前記めっき層の表面に露出した前記デンドライトの平均高さとは、図２に示すように、前記めっき層の厚さ方向の断面において観察した際の、前記めっき層の表面に露出した前記デンドライトの高さ位置（露出位置）の平均Ｈ１である。また、前記めっき層の表面に露出した前記インターデンドライトの平均高さとは、図２に示すように、前記めっき層の厚さ方向の断面において観察した際の、前記めっき層の表面に露出した前記インターデンドライトの高さ位置（露出位置）の平均Ｈ２である。そして、前記デンドライトの平均高さと前記インターデンドライトの平均高さとの差とは、上述したＨ１とＨ２との差のことである。
なお、前記めっき層の表面に露出した前記デンドライトの平均高さＨ１及び前記めっき層の表面に露出した前記インターデンドライトの平均高さＨ２は、全てのめっき層全体での平均がわかればよいが、例えば、前記めっき層の無作為に選択した5カ所において、めっき層の厚さ方向の断面を観察し、観察視野において5mmの長さ範囲内での前記めっき層の前記デンドライトの露出部の平均高さ及び前記前記インターデンドライトの露出部の平均高さを、それぞれ前記デンドライトの平均高さＨ１及び前記インターデンドライトの平均高さＨ２とすることができる。
【００３５】
また、前記めっき層の主層や前記界面合金層を、走査型電子顕微鏡によって観察する際には、めっき層の断面を、研磨及び／又はエッチングした後に観察を行うことが好ましい。断面の研磨方法やエッチング方法はいくつか種類があるが、一般的にめっき層断面を観察する際に用いられる方法であれば特に限定はされない。また、走査型電子顕微鏡での観察及び分析の条件としては、例えば、加速電圧5〜20kVで、２次電子像または反射電子像にて500〜5000倍程度の倍率で行うことができる。
【００３６】
また、前記めっき層の主層は、α-Al相のデンドライト部分を有し、該デンドライト部分の平均デンドライトアーム間距離と、前記めっき層の厚さとが、以下の式（１）を満足することが好ましい。
ｔ／ｄ≧1.5  ・・・（１）
ｔ：めっき層の厚さ（μm）、ｄ：平均デンドライトアーム間距離（μm）
上記（１）式を満足することで、上述したα-Al相からなるデンドライト部分のアームを相対的に小さくでき、優先的に腐食されるインターデンドライトの経路を長く確保することにより、耐食性をより向上させることができる。
【００３７】
なお、前記デンドライト部分のデンドライトアーム間距離とは、隣接するデンドライトアーム間の中心距離（デンドライトアームスペーシング）のことを意味する。本発明では、例えば、図３に示すように、研磨及び／又はエッチングしためっき層主層の表面を、走査型電子顕微鏡（SEM）等を用いて拡大観察し（例えば200倍で観察し）、無作為に選択した視野の中で、２番目に間隔の広いデンドライトアーム（２次デンドライトアーム）の間隔を以下のとおり測定する。２次デンドライトアームが３本以上整列している部分を選択し（図３では、Ａ−Ｂ間の３本を選択している。）、アームが整列している方向に沿って距離（図３では、距離Ｌ）を測定する。その後、測定した距離をデンドライトアームの本数で除して（図３では、Ｌ／３）、デンドライトアーム間距離を算出する。当該デンドライトアーム間距離は、１つの視野の中で、3箇所以上測定し、それぞれ得られたデンドライトアーム間距離の平均を算出したものを平均デンドライトアーム間距離とする。
【００３８】
なお、前記めっき層の膜厚は、加工性と耐食性とを高いレベルで両立させる観点から、10〜30μmであることが好ましく、20〜25μmであることがより好ましい。前記めっき層が10μm以上の場合には十分な耐食性を確保でき、前記めっき層が30μm以下の場合には加工性を十分に確保できるためである。
【００３９】
（塗装鋼板）
本発明の塗装鋼板は、上述した本発明の溶融Al-Zn-Mg-Si系めっき鋼板のめっき層上に、直接又は中間層を介して、塗膜が形成されたことを特徴とする。
本発明の溶融Al-Zn-Mg-Si系めっき鋼板を用いることで、良好なめっき層の表面外観性を有するとともに、耐滑り性及び耐食性の向上を図ることができる。
【００４０】
なお、前記塗膜の種類や、塗膜を形成する方法については、特に限定はされず、要求される性能に応じて適宜選択することができる。例えば、ロールコーター塗装、カーテンフロー塗装、スプレー塗装等の形成方法が挙げられる。有機樹脂を含有する塗料を塗装した後、熱風乾燥、赤外線加熱、誘導加熱等の手段により加熱乾燥して塗膜を形成することが可能である。
【００４１】
また、前記中間層については、溶融めっき鋼板のめっき層と前記塗膜との間に形成される層であれば特に限定はされない。例えば、化成処理皮膜や、接着層等のプライマーが挙げられる。前記化成処理皮膜については、例えば、クロメート処理液又はクロムフリー化成処理液を塗布し、水洗することなく、鋼板温度として80〜300℃となる乾燥処理を行うクロメート処理又はクロムフリー化成処理により形成することが可能である。これら化成処理皮膜は単層でも複層でもよく、複層の場合には複数の化成処理を順次行えばよい。
【００４２】
（溶融Al-Zn-Mg-Si系めっき鋼板の製造方法）
次に、本発明の溶融Al-Zn-Mg-Si系めっき鋼板の製造方法について説明する。
本発明の溶融Al-Zn-Mg-Si系めっき鋼板の製造方法は、Al：45〜65質量％、Si：1.2〜4質量％、Mg：1〜6質量％及びSr：0.01〜0.2質量％を含有し、残部がZn及び不可避的不純物からなる組成を有するめっき浴に、下地鋼板を浸漬させる工程と、
前記めっき浴に浸漬させた後の鋼板を、式（１）に示す温度Ｔ１から式（２）に示す温度Ｔ２まで、10〜50℃／秒の冷却速度で冷却した後、前記温度Ｔ２から式（３）に示す温度Ｔ３まで、10〜70℃／秒の冷却速度で冷却する工程と、
を備えることを特徴とする。
Ｔ１（℃）＝580−4.5MMg−5.5MSi  ・・・（１）
Ｔ２（℃）＝520−4.5MMg−5.5MSi  ・・・（２）
Ｔ３（℃）＝375−4.5MMg−5.5MSi  ・・・（３）
MMg：めっき浴中のMgの含有量（質量％）、MSi：めっき浴中のSiの含有量（質量％）
上述した製造方法によって得られた溶融Al-Zn-Mg-Si系めっき鋼板は、良好な耐食性を有するとともに、耐滑り性及び耐食性に優れる。
【００４３】
なお、本発明の溶融Al-Zn-Mg-Si系めっき鋼板の製造方法では、特に限定はされないが、製造効率や品質の安定性の観点から、連続式溶融めっき設備が通常採用される。
なお、本発明の溶融Al-Zn-Mg-Si系めっき鋼板に用いられる下地鋼板の種類については、特に限定はされない。例えば、酸洗脱スケールした熱延鋼板若しくは鋼帯、又は、それらを冷間圧延して得られた冷延鋼板若しくは鋼帯を用いることができる。また、前記前処理工程及び焼鈍工程の条件についても特に限定はされず、任意の方法を採用することができる。
【００４４】
本発明の溶融Al-Zn-Mg-Si系めっき鋼板の製造方法では、前記めっき浴が、Al：45〜65質量％、Si：1.2〜4質量％、Mg：1〜6質量％及びSr：0.01〜0.2質量％を含有し、残部がZn及び不可避的不純物からなる組成を有する。
これによって、所望の組成の溶融Al-Zn-Mg-Si系めっき鋼板を得ることができる。なお、前記めっき浴中に含有される各元素の種類や、含有量、作用については、上述した本発明の溶融Al-Zn-Mg-Si系めっき鋼板の中で説明されている。
【００４５】
なお、本発明の製造方法により得られた溶融めっき鋼板は、全体としてはめっき浴の組成とほぼ同等となる。そのため、前記主層の組成の制御は、めっき浴組成を制御することにより精度良く行うことができる。
【００４６】
本発明の溶融Al-Zn-Mg-Si系めっき鋼板の製造方法では、前記めっき浴に下地鋼板を浸漬させる工程（以後、「めっき浴浸漬工程」ということがある。）を備える。該めっき浴浸漬工程では、Al：45〜65質量％、Si：1.2〜4質量％、Mg：1〜6質量％及びSr：0.01〜0.2質量％を含有し、残部がZn及び不可避的不純物からなる組成を有するめっき浴を用いる。これによって、得られためっき鋼板は、所望の表面外観性及び耐食性を実現できる。
【００４７】
なお、前記めっき浴浸漬工程では、上述しためっき浴の組成以外の条件については、特に限定はされず、連続式溶融めっき設備での通常の溶融めっき条件を適宜変更することができる。
例えば、前記めっき浴の浴温については、560〜610℃とすることができる。また、前記下地鋼板を前記めっき浴中に浸漬させる時間を1〜5秒とすることができる。
【００４８】
そして、本発明の溶融Al-Zn-Mg-Si系めっき鋼板の製造方法では、前記めっき浴浸漬工程後、前記めっき浴に浸漬させた後（前記めっき浴から出てきた直後）の鋼板を、温度Ｔ１から温度Ｔ２まで10〜50℃／秒の冷却速度で冷却した後、前記温度Ｔ２から温度Ｔ３まで10〜70℃／秒の冷却速度で冷却する工程、を備える。ここで、前記温度Ｔ１、Ｔ２及びＴ３については、以下の式（１）、（２）及び（３）によって示される。
Ｔ１（℃）＝580−4.5MMg−5.5MSi  ・・・（１）
Ｔ２（℃）＝520−4.5MMg−5.5MSi  ・・・（２）
Ｔ３（℃）＝375−4.5MMg−5.5MSi  ・・・（３）
式（１）〜（３）中、MMgは、めっき浴中のMgの含有量（質量％）であり、MSiは、めっき浴中のSiの含有量（質量％）を示す。
【００４９】
上述したように、めっき層の表面外観性及び耐食性に加えて、耐滑り性を向上させるためには、前記めっき層の表面における動摩擦係数を0.2以上と大きくすることが重要である。より具体的には、前記めっき層の表面から露出する前記デンドライトと、前記めっき層の表面から露出する前記インターデンドライトとの平均高さの差を大きくすることが有効である。そのため、本発明の製造方法では、前記めっき浴浸漬工程後、めっき層を凝固させるための冷却開始温度及び終了温度、並びに、その温度範囲での冷却速度について、適正化を図ることによって、前記めっき層の表面における動摩擦係数を0.2以上と大きくさせることが可能となり、優れた耐滑り性を実現できる。
【００５０】
ここで、前記鋼板の冷却開始温度Ｔ１（℃）を、式（１）で示す条件に設定としたのは、まだ前記めっき浴が凝固していない温度とするためである。
また、前記温度Ｔ１（℃）からの冷却が終了し、次の冷却が開始する温度Ｔ２（℃）を、式（２）で条件に設定したのは、前記めっき浴の前記デンドライト部のみ凝固し、前記インターデンドライト部がまだ凝固していない温度とするためである。
さらに、前記温度Ｔ２（℃）からの冷却が終了する温度Ｔ３を式（３）で示す条件に設定としたのは、前記めっき浴の凝固が完了している温度とするためである。
【００５１】
また、前記温度Ｔ１（℃）から前記温度Ｔ２（℃）までの冷却速度を、10〜50℃／秒としたのは、前記冷却速度が10℃／秒未満の場合には、前記めっき層の表面から露出する前記デンドライトの成長速度が遅いため、前記めっき層表面が平滑な表面になり、一方、前記冷却速度が50℃／秒を超えると、前記めっき層の表面から露出するデンドライトが小さくなりすぎるため、めっき層表面の凹凸が減少し、0.2以上の動摩擦係数が得られない。
同様の観点から、前記温度Ｔ１（℃）から前記温度Ｔ２（℃）までの冷却速度は、20〜40℃／秒であることが好ましい。
【００５２】
さらに、前記温度Ｔ２（℃）から前記温度Ｔ３（℃）までの冷却速度を、10〜70℃／秒としたのは、前記冷却速度が10℃／秒未満の場合には、前記めっき層の表面から露出する前記インターデンドライトの成長速度が遅いため、前記めっき層表面が平滑な表面になり、一方、70℃／秒を超えると、前記めっき層の表面から露出するインターデンドライトが速く凝固するため、前記めっき層表面の凹凸が減少し、0.2以上の動摩擦係数が得られない。
同様の観点から、前記温度Ｔ２（℃）から前記温度Ｔ３（℃）までの冷却速度は、20〜50℃／秒であることが好ましい。
なお、本発明の製造方法では、溶融Al-Zn-Mg-Si系溶融めっき鋼板のめっき層上に、塗膜を形成した塗装鋼板を製造する場合には、溶融めっき鋼板を連続式溶融めっき設備でコイルに巻き取る前に、通常、鋼板材質の調整と表面の平滑化を目的に調質圧延が実施される。
【００５３】
（塗装鋼板の製造方法）
本発明の塗装鋼板の製造方法は、上述した本発明の溶融Al-Zn-Mg-Si系めっき鋼板の製造方法によって得られた溶融Al-Zn-Mg-Si系めっき鋼板の上に、直接又は中間層を介して、塗膜を形成する工程を備えることを特徴とする。
本発明の溶融Al-Zn-Mg-Si系めっき鋼板を用いることで、良好なめっき層の表面外観性を有するとともに、耐滑り性及び耐食性を向上できる。
【００５４】
なお、前記塗膜を形成する方法については、特に限定はされず、要求される性能に応じて適宜選択することができる。例えば、ロールコーター塗装、カーテンフロー塗装、スプレー塗装等の形成方法が挙げられる。有機樹脂を含有する塗料を塗装した後、熱風乾燥、赤外線加熱、誘導加熱等の手段により加熱乾燥して塗膜を形成することが可能である。
【００５５】
また、前記中間層については、溶融めっき鋼板のめっき層と前記塗膜との間に形成される層であれば特に限定はされない。前記中間層の種類や形成方法については、本発明の塗装鋼板の中で説明した内容と同様である。
【実施例】
【００５６】
（サンプル１〜７４）
常法で製造した板厚0.5mmの冷延鋼板を下地鋼板として用い、連続式溶融めっき設備において、溶融めっき鋼板のサンプル１〜７４を製造した。なお、製造に用いためっき浴の組成については表１に示す各サンプルのめっき層の組成とほぼ同じである。また、めっき浴浸漬後の温度Ｔ１、Ｔ２及びＴ３、Ｔ１からＴ２までの冷却速度、Ｔ２からＴ３までの冷却速度、得られためっき層の表面における動摩擦係、並びに、めっき層の表面に露出した前記デンドライトの平均高さＨ１と前記インターデンドライトの平均高さＨ２との差については表１に示す。
【００５７】
（評価）
上記のように得られた溶融めっき鋼板の各サンプルについて、以下の評価を行った。評価結果を表１に示す。
【００５８】
（１）耐食性評価
得られた溶融めっき鋼板の各サンプルについて、日本自動車規格の複合サイクル試験（JASO-CCT）を行った。JASO-CCTについては、図４に示すように、特定の条件で、塩水噴霧、乾燥及び湿潤を１サイクルとした試験である。
各サンプルに赤錆が発生するまでのサイクル数を測定し、以下の基準に従って評価した。
◎：赤錆発生サイクル数≧600サイクル
○：赤錆発生サイクル数≧400サイクル
×：赤錆発生サイクル数＜400サイクル
【００５９】
（２）耐滑り性
得られた溶融めっき鋼板の各サンプルについて、60×150mm（下側）と25×25mm（上側）の試験片をそれぞれ切り出した後、両試験片の表面と裏面を向かい合わせて0.04kg／cm2の荷重をかけ、試験片を傾斜させて上に載せた試験片が滑り始める傾斜角度（滑り角度）を測定する方法によって、耐すべり性を評価した。
そして、滑り角度を、以下の基準に従って評価した。
○：滑り角度20°以上
×：滑り角度20°未満
なお、上述の耐滑り性評価方法はあくまで一例であり、必ずしも同一の方法による必要はなく、耐滑り性が適切に評価できればどのような方法を用いても構わない。
【００６０】
（３）表面外観性
得られた溶融めっき鋼板の各サンプル（長さ650ｍｍ×幅914ｍｍ）について、目視によって、めっき層の表面（各サンプルの両面）を観察した。
そして、観察結果を、以下の基準に従って評価した。
○：表面及び裏面のいずれについても、シワ状欠陥が全く観察されなかった
×：表面及び裏面のうちの少なくとも一方に、シワ状欠陥が観察された
【００６１】
【表１】
2020164986.tif 000003
【００６２】
表１の結果から、本発明例の各サンプルは、比較例の各サンプルに比べて、耐食性、耐滑り性及びめっき層の表面外観性のいずれについてもバランスよく優れていることがわかる。
【産業上の利用可能性】
【００６３】
本発明によれば、良好な表面外観性を有するとともに、耐滑り性及び耐食性に優れた溶融Al-Zn-Mg-Si系めっき鋼板及び塗装鋼板、並びに、良好な表面外観性を有するとともに、耐滑り性及び耐食性に優れた溶融Al-Zn-Mg-Si系めっき鋼板及び塗装鋼板の製造方法、を提供できる。
【図１】
2020164986.tif 000004
【図２】
2020164986.tif 000005
【図３】
2020164986.tif 000006
【図４】
2020164986.tif 000007